(57)【要約】【課題】外気温の上昇に起因するたばこ商品の品質劣化を低減又は防止し、品質を保証したたばこ商品を消費者に確実に販売可能なたばこの流通システム及びその流通方法を提供する。【解決手段】たばこの流通システムは、たばこ工場（２）内から小売り販売店（４）での販売に至るたばこ商品の全流通過程にて、たばこ商品をその商品形態に応じて外気温から隔離（Ａ）し、たばこ商品を所望の低温状態に維持する。【選択図】図１
2011173660.tif 000002
【特許請求の範囲】
【請求項１】
たばこ商品の製造から小売り販売に至る流通の全過程で、たばこ商品の商品形態に応じてたばこ商品を外気温から隔離する隔離手段を備え、これら隔離手段はたばこ商品の品質劣化を招く温度よりも低い低温状態にたばこ商品を維持することを特徴とするたばこの流通システム。
【請求項２】
前記隔離手段は、たばこ商品を０〜２０℃の低温状態に維持することを特徴とする請求項１に記載のたばこの流通システム。
【請求項３】
たばこ商品の商品形態には、所定本数のシガレットを包み込んだシガレットパック、所定個数のシガレットパックを包み込んだカートン及び所定個数のカートンを包み込んだ箱が含まれ、
前記隔離手段は、シガレットパック、カートン及び箱の商品形態に応じてたばこ商品を収容する保冷体を備えることを特徴とする請求項１又は２に記載のたばこの流通システム。
【請求項４】
前記保冷体は、倉庫を含むたばこ工場の空調建屋、低温輸送トラック、保冷容器又は保冷型自動販売機の形態をなすことを特徴とする請求項３に記載のたばこの流通システム。
【請求項５】
たばこ商品の製造から小売り販売に至る流通の全過程で、たばこ商品の商品形態に応じてたばこ商品を外気温から隔離する隔離手段を用い、この隔離手段によりたばこ商品の品質劣化を招く温度よりも低い低温状態にたばこ商品を維持することを特徴とするたばこの流通方法。
【発明の詳細な説明】
【技術分野】
【０００１】
本発明は、たばこ商品の製造から小売り販売に至る全過程にて、たばこ商品の温度管理を可能としたたばこの流通システム及びその流通方法に関する。
【背景技術】
【０００２】
たばこ工場にて製造されたたばこ商品は、段ボール箱内に所定個数のカートンを箱詰めした商品形態にて流通基地に出荷され、この後、流通基地から小売り販売店に箱詰めの商品形態のまま配送されるか、又は、流通基地から中間基地に配送され、この中間基地にて段ボール箱からカートンを取出し、カートンの商品形態にて中間基地から小売り販売店に配送される（例えば、特許文献１の図１参照）。なお、カートンは所定個数のシガレットパックを包材により包み込んだものである。
【特許文献１】特開2003-108754号公報
【発明の開示】
【発明が解決しようとする課題】
【０００３】
上述した特許文献１の需要計画システムは、流通基地、中間基地及び小売り販売店の各段階にてたばこ商品の在庫を適切に管理し、これにより、消費者に対するシガレットパックの小売り販売をその賞味期限内にて確実且つ安定して行うことが可能となる。
ここで、シガレットパックの賞味期限はその製造日から所定の期間を経た期日に一義的に定められており、上述のたばこ商品の流通過程での外気温の変動に起因したたばこ商品の品質劣化については何ら考慮されていない。
【０００４】
このため、シガレットパックがメンソール等の揮発性香料を含んでいる場合、その流通過程にて外気温が異常に上昇するような事態に至ると、シガレットパックからメンソールが揮散し、賞味期限内にあるにも拘わらず、シガレットパックの品質を保証できなくなる虞がある。
本発明は上述の事情に基づいてなされたもので、その目的とすることは、外気温の上昇に起因するたばこ商品の品質劣化を低減又は防止し、品質を保証したたばこ商品を消費者に確実に販売可能なたばこの流通システム及びその流通方法を提供することにある。
【課題を解決するための手段】
【０００５】
上記の目的を達成するため、本発明のたばこの流通システムは、たばこ商品の製造から小売り販売に至る流通の全過程で、たばこ商品の商品形態に応じてたばこ商品を外気温から隔離する隔離手段を備え、これら隔離手段はたばこ商品の品質劣化を招く温度よりも低い低温状態にたばこ商品を維持する（請求項１）。
請求項１の流通システムによれば、その流通の全過程にて、たばこ商品は販売に至るまで隔離手段によって低温状態に維持され、そして、消費者に販売される。
【０００６】
隔離手段はたばこ商品を０〜２０℃の低温状態に維持するのが好ましく（請求項２）、このような低温状態であれば、たばこ商品にメンソール等の揮発性香料が含まれていても、このような香料の揮散は低減される。
具体的には、たばこ商品の商品形態には、所定本数のシガレットを包み込んだシガレットパック、所定個数のシガレットパックを包み込んだカートン及び所定個数のカートンを包み込んだ箱が含まれ、そして、隔離手段は、シガレットパック、カートン及び箱の商品形態に応じてたばこ商品を収容する保冷体を含む（請求項３）。この場合、保冷体は、倉庫を含むたばこ工場の空調付き建屋、低温輸送トラック、保冷容器又は保冷型自動販売機の形態をなす（請求項４）。
【０００７】
更に、本発明はたばこの流通方法をも提供し、この流通方法は、たばこ商品の製造から小売り販売に至る全過程で、たばこ商品の商品形態に応じてたばこ商品を外気温から隔離する隔離手段を用い、この隔離手段により、その品質劣化を招く温度よりも低い低温状態にたばこ商品を維持する。
【発明の効果】
【０００８】
請求項１〜６のたばこの流通システム及びその流通方法は、たばこ商品が消費者に販売されるまで、たばこ商品を低温状態に維持しているので、その流通過程にて外気温が急減に上昇しても、この外気温の上昇がたばこ商品の品質劣化を招くことはなく、安定した品質を維持したまま、たばこ商品の販売が可能となる。
【発明を実施するための最良の形態】
【０００９】
図１は、一実施例のたばこの流通システムを概略的に示す。
この流通システムは、倉庫を備えたたばこ工場２から小売り販売店４にたばこ商品を配送する配送経路を備え、この配送経路にはその途中に流通基地６が設置され、また、必要に応じて流通基地６と小売り販売店４との間に中間基地８が設置されている。
図１中の破線Ａは、流通システムの全域にてたばこ商品が外気温から隔離されていることを示し、この隔離について以下に詳述する。
【００１０】
図２に示すようにたばこ工場２では、先ず、刻みたばこを巻紙により包み込んだシガレットが製造された後、このシガレットにフィルタを取り付けたフィルタシガレットＦＣが製造される。そして、フィルタシガレットＦＣは例えば２０本毎に纏めて包装され、ソフト又はハード形態のシガレットパックＣＰが製造される。更に、シガレットパックＣＰは例えば１０個単位で紙包材により包み込まれてカートンＣとなり、そして、カートンＣは例えば５０個単位で段ボール箱Ｂに箱詰めされる。このような段ボール箱Ｂはたばこ工場２から出荷されるか、又は、たばこ工場２の倉庫に一時的に保管され後に出荷される。
【００１１】
ここで、たばこ工場２又は倉庫から出荷される段ボール箱Ｂは、流通システム内を流通するたばこ商品の１つの商品形態であるものの、たばこ工場２又は倉庫から小売り販売店４に至る流通過程において、たばこ商品の商品形態は、段ボール箱Ｂ以外に、前述した個々のシガレットパックＣＰ又はカートンＣを含む。
たばこ工場での外気温隔離
たばこ工場２はその倉庫をも含め、図２中に破線で示す建屋２ａ自体がたばこ商品、即ち、シガレットパックＣＰ、カートンＣ及び段ボール箱Ｂを外気から隔離する保冷体として構成されている。即ち、建屋２ａは空調装置（図示しない）を備え、この空調装置はたばこ商品に品質劣化を招く温度、具体的には０〜２０℃の低温状態に建屋２ａ内の温度を維持する。
【００１２】
たばこ工場から流通基地への配送時の外気温隔離
たばこ工場２又はその倉庫から流通基地６にたばこ商品、即ち、段ボール箱Ｂを配送するには、図３（ａ），（ｂ）にそれぞれ示すような低温輸送トラック１０又は保冷容器１２が使用され、これら低温輸送トラック１０及び保冷容器１２もまた保冷体の一形態をなす。
【００１３】
より詳しくは、低温輸送トラック１０は段ボール箱Ｂを収容可能な冷凍機付きのコンテナ１４を備え、このコンテナ１４内は０〜２０℃の低温状態に維持されている。一方、保冷容器１２はその内部に段ボール箱Ｂとともに蓄冷剤１６を収容可能な大きさを有し、この蓄冷剤１６は保冷容器１２内を０〜２０℃の低温状態に維持可能である。保冷容器１２内に段ボール箱Ｂを収容した状態で、段ボール箱Ｂの配送がなされる場合、ここでの配送には通常の輸送トラックが使用可能である。
【００１４】
流通基地及び中間基地での外気温隔離
流通基地６及び中間基地８は段ボール箱Ｂを搬入する建屋をそれぞれ備えており、これら建屋内は前述したたばこ工場２の建屋２ａと同様に空調され、その屋内温度が０〜２０℃の低温状態に維持されている。
流通基地から小売り販売店又は中間基地への配送時の外気温隔離
ここでの段ボール箱Ｂの配送時には、前述した低温輸送トラック１０又は保冷容器１２が使用される。
【００１５】
中間基地から小売り販売店への配送時の外気温隔離
ここでのたばこ商品の配送は、段ボール箱Ｂ、カートンＣ又はシガレットパックＣＰの商品形態にて実施されることから、段ボール箱Ｂの配送には低温輸送トラック１０又は保冷容器１２が使用され、カートンＣ又はシガレットパックＣＰの配送には、保冷容器１２と同一の機能を発揮するが、保冷容器１２よりも小さい保冷容器が使用される。具体的には、図４（ａ）はシガレットパックＣＰを単位として、所定個数のシガレットパックＣＰを収容可能な小型保冷容器１８を示し、また、図４（ｂ）はカートンＣを単位として、所定個数のカートンＣを収容可能な中型保冷容器２０を示す。
【００１６】
小売り販売店での外気温隔離
小売り販売店４では、たばこ商品がシガレットパックＣＰ又はカートンＣを単位として店頭販売されるか、又は、その店の内外に設置したたばこ自動販売機によりシガレットパックＣＰを単位として販売される。
それ故、店外に設置した自動販売機が使用される場合、図５（ａ）に示されるように自たばこ動販売機は冷凍機２２を備え、この冷凍機２２はたばこ自動販売機内、即ち、その機体内の温度を０〜２０℃の低温状態に維持する。
【００１７】
一方、店頭販売される場合、店内には図５（ｂ）に示す開閉可能な保冷庫２４が使用される。この保冷庫２４は多数のシガレットパックＣＰ及びカートンＣを収容可能な大きさを有し、その庫内の温度は０〜２０℃の低温状態に維持されている。店員は顧客の要求に応じ、顧客が指定した銘柄のシガレットパックＣＰ又はカートンＣを保冷庫２４から取出し、顧客、即ち、消費者に販売する。
【００１８】
なお、可能であれば、小売り販売店４の店内全体を空調機により０〜２０°以下の低温状態に維持するようにしてもよい。
以上の説明から明らかなようにたばこ工場から小売り販売店までの全ての流通過程にて、たばこ商品を低温状態に維持するようにしたから、たばこ商品、即ち、シガレットパックがメンソール等の揮発性香料を含むものであっても、外気温の上昇による香料の揮散を防止又は低減でき、シガレットパックの品質をシガレットパックが消費者の手元に渡るまで保証可能となる。
【００１９】
本発明は上述の一実施例に制約されるものではなく、たばこ商品をその商品形態に応じて外気温から隔離するには図３〜図５に示した手段以外の種々の隔離手段を適用可能である。
【図面の簡単な説明】
【００２０】
【図１】たばこの流通システムを示した概略図である。
【図２】たばこ工場でのたばこ商品の製造の流れを示した概略図である。
【図３】たばこ商品の配送に使用される保冷体の具体的な例を示し、（ａ）は低温輸送トラック、（ｂ）は保冷容器を示す。
【図４】たばこ商品の配送に使用される保冷体の他の具体的な例を示し、（ａ）は小型保冷容器、（ｂ）は中型保冷容器を示す。
【図５】小売り販売店にて使用される保冷体の具体的な例を示し、（ａ）は冷凍機付きのたばこ自動販売機、（ｂ）は保冷庫を示す。
【符号の説明】
【００２１】
２ａ          建屋（保冷体）
１０            低温輸送トラック（保冷体）
１２            保冷容器（保冷体）
１６            蓄冷剤
１８            小型保冷容器（保冷体）
２０            中型保冷容器（保冷体）
２２            冷凍機付きたばこ自動販売機（保冷体）
２４            保冷庫（保冷体）
Ａ              外気温に対する隔離
Ｂ              段ボール箱（たばこ商品）
Ｃ              カートン（たばこ商品）
ＣＰ            シガレットパック（たばこ商品）
【図１】
2011173660.tif 000003
【図２】
2011173660.tif 000004
【図３】
2011173660.tif 000005
【図４】
2011173660.tif 000006
【図５】
2011173660.tif 000007